(57)【特許請求の範囲】
【請求項１】
顕微鏡に備えられた中間変倍光学系の倍率を複数のグループに分類し、グループ毎に該グループ内のいずれかの倍率で取得されたシェーディングパターンである代表パターンを記憶する代表パターン記憶部と、
前記顕微鏡に備えられた撮像手段によって標本を撮影することにより取得された標本の画像データを、該画像データの撮影時の前記中間変倍光学系の倍率と対応づけて記憶する画像記憶部と、
前記標本の画像データの撮影時における前記中間変倍光学系の倍率が属する前記グループ内の代表パターンを前記代表パターン記憶部から読み出し、読み出された代表パターンを用いて、前記画像記憶部に記憶されている前記標本の画像データにシェーディング補正を施すシェーディング補正部とを備える画像処理装置。
【請求項２】
前記シェーディング補正部が、前記標本の画像データの撮影時における前記中間変倍光学系の倍率と前記代表パターンの取得時における前記中間変倍光学系の倍率との比較結果に基づいて、前記標本の画像データにシェーディング補正を施す前記代表パターンを前記代表パターン記憶部から読み出す請求項１に記載の画像処理装置。
【請求項３】
請求項１または請求項２に記載の画像処理装置と、
前記中間変倍光学系および前記撮像手段を有する顕微鏡と、
該顕微鏡を制御する制御部とを備え、
該制御部が、前記顕微鏡に対し、前記中間変倍光学系の倍率を切り替えてシェーディングパターンを取得するよう指令し、
前記画像処理装置が、前記顕微鏡の撮像手段によって取得されたシェーディングパターンと、該シェーディングパターン取得時の中間変倍光学系の倍率とを対応づけて記憶するシェーディングパターン記憶部と、該シェーディングパターン記憶部に記憶されたシェーディングパターンをその取得時の前記中間変倍光学系の倍率毎に複数のグループに分類する分類部とを備える顕微鏡システム。
【請求項４】
前記制御部が、前記中間変倍光学系の倍率を順次大きくまたは小さく切り替えるように指令し、
前記分類部が、前記代表パターン記憶部に一の分類の代表パターンとして記憶されているシェーディングパターンと前記シェーディングパターン記憶部に新たに記憶されたシェーディングパターンとを比較して類似度を算出し、算出された類似度が所定の閾値を超える場合に、次の分類の代表パターンとして前記代表パターン記憶部に記憶する請求項３に記載の顕微鏡システム。
【請求項５】
前記顕微鏡が、倍率の異なる複数の対物レンズを切り替え可能に備え、
前記制御部が、前記対物レンズの倍率毎に、前記中間変倍光学系の倍率を順次大きくまたは小さく切り替えるように指令し、
前記分類部が、前記対物レンズの倍率毎に、シェーディングパターンを分類する請求項３または請求項４に記載の顕微鏡システム。
【発明の詳細な説明】
【技術分野】
【０００１】
本発明は、画像処理装置および顕微鏡システムに関するものである。
【背景技術】
【０００２】
従来、標本の像を撮影する前にシェーディングパターンを取得しておき、撮影により取得された標本の画像を、取得しておいたシェーディングパターンによってシェーディング補正する顕微鏡装置が知られている（例えば、特許文献１参照。）。
【０００３】
この顕微鏡装置においては、全ての対物レンズおよび中間変倍光学系の組み合わせについて、標本撮影前に、予めシェーディングパターンを撮影・保存しておく煩雑さの解消と、膨大なシェーディングパターンを記憶するための記憶容量の低減とを図るために、中間変倍光学系のズーム倍率を１倍に固定してシェーディングパターンを取得・記憶しておき、ズーム倍率が変化したときには、記憶しておいた１倍のシェーディングパターンから撮像範囲のみを切り出してシェーディングパターンとして使用することとしている。
【先行技術文献】
【特許文献】
【０００４】
【特許文献１】特開２００１−２９２３６９号公報
【発明の概要】
【発明が解決しようとする課題】
【０００５】
しかしながら、ズーム光学系を有する顕微鏡システムにおいては、低倍率時と高倍率時とでシェーディングパターンの形状が大きく異なるため、特許文献１のように、ズーム倍率１倍として取得されたシェーディングパターンから切り出す方法では、高倍率時のシェーディングパターンを得ることは困難であり、適切なシェーディング補正を行うことができないという不都合がある。
【０００６】
本発明は上述した事情に鑑みてなされたものであって、シェーディングパターンの取得における煩雑さと記憶容量の低減を図りつつ、中間変倍光学系のズーム倍率が変化しても適正なシェーディング補正を行うことができる画像処理装置および顕微鏡システムを提供することを目的としている。
【課題を解決するための手段】
【０００７】
上記目的を達成するために、本発明は以下の手段を提供する。
本発明の一態様は、顕微鏡に備えられた中間変倍光学系の倍率を複数のグループに分類し、グループ毎に該グループ内のいずれかの倍率で取得されたシェーディングパターンである代表パターンを記憶する代表パターン記憶部と、前記顕微鏡に備えられた撮像手段によって標本を撮影することにより取得された標本の画像データを、該画像データの撮影時の前記中間変倍光学系の倍率と対応づけて記憶する画像記憶部と、前記標本の画像データの撮影時における前記中間変倍光学系の倍率が属する前記グループ内の代表パターンを前記代表パターン記憶部から読み出し、読み出された代表パターンを用いて、前記画像記憶部に記憶されている前記標本の画像データにシェーディング補正を施すシェーディング補正部とを備える画像処理装置を提供する。
【０００８】
本態様によれば、顕微鏡観察において中間変倍光学系の倍率を任意に調節して標本の撮影を行うことにより、撮像手段によって取得された画像データが画像記憶部に記憶され、その撮影時の中間変倍光学系の倍率が倍率情報取得部により取得されると、シェーディング補正部により、取得された倍率がいずれのグループに属するかが判定され、対応するグループのシェーディングパターンである代表パターンが代表パターン記憶部から読み出され、画像記憶部に記憶された画像データにシェーディング補正が施される。代表パターン記憶部には、中間変倍光学系の倍率毎にシェーディングパターンが分類されているので、標本の撮影時の中間変倍光学系の倍率に近い倍率で取得された代表パターンを使用して、精度よくシェーディング補正を行うことができる。
【０００９】
上記態様においては、前記シェーディング補正部が、前記標本の画像データの撮影時における前記中間変倍光学系の倍率と前記代表パターンの取得時における前記中間変倍光学系の倍率との比較結果に基づいて、前記標本の画像データにシェーディング補正を施す前記代表パターンを前記代表パターン記憶部から読み出すことにしてもよい。
【００１１】
また、本発明の一態様は、上記画像処理装置と、前記中間変倍光学系および前記撮像手段を有する顕微鏡と、該顕微鏡を制御する制御部とを備え、該制御部が、前記顕微鏡に対し、前記中間変倍光学系の倍率を切り替えてシェーディングパターンを取得するよう指令し、前記画像処理装置が、前記顕微鏡の撮像手段によって取得されたシェーディングパターンと、該シェーディングパターン取得時の中間変倍光学系の倍率とを対応づけて記憶するシェーディングパターン記憶部と、該シェーディングパターン記憶部に記憶されたシェーディングパターンをその取得時の前記中間変倍光学系の倍率毎に複数のグループに分類する分類部とを備える顕微鏡システムを提供する。
【００１２】
本態様によれば、中間変倍光学系の倍率を切り替えてシェーディングパターンを取得するよう、制御部から顕微鏡に指令されると、顕微鏡においては中間変倍光学系の倍率を切り替えながら、撮像手段によってシェーディングパターンが取得され、取得されたシェーディングパターンがその取得時の倍率とともに画像処理装置に送られる。画像処理装置においては、顕微鏡から送られてきたシェーディングパターンとその取得時の中間変倍光学系の倍率とが対応づけられてシェーディングパターンに記憶され、記憶されたシェーディングパターンが分類部により倍率毎に複数のグループに分類される。
【００１３】
これにより、グループ毎に該グループ内のいずれかの倍率で取得されたシェーディングパターンである代表パターンを簡易に代表パターン記憶部に記憶することができる。そして、標本を撮影して取得された画像データに対して、近似した倍率で取得されたシェーディングパターンが用いられて、簡易に適正なシェーディング補正を行うことができる。
【００１４】
上記態様においては、前記制御部が、前記中間変倍光学系の倍率を順次大きくまたは小さく切り替えるように指令し、前記分類部が、前記代表パターン記憶部に一の分類の代表パターンとして記憶されているシェーディングパターンと前記シェーディングパターン記憶部に新たに記憶されたシェーディングパターンとを比較して類似度を算出し、算出された類似度が所定の閾値を超える場合に、次の分類の代表パターンとして前記代表パターン記憶部に記憶してもよい。
このようにすることで、簡易に類似するシェーディングパターンを同一グループに分類することができ、また、各グループの代表パターンを記憶することができる。
【００１５】
また、上記態様においては、前記顕微鏡が、倍率の異なる複数の対物レンズを切り替え可能に備え、前記制御部が、前記対物レンズの倍率毎に、前記中間変倍光学系の倍率を順次大きくまたは小さく切り替えるように指令し、前記分類部が、前記対物レンズの倍率毎に、シェーディングパターンを分類してもよい。
【００１６】
このようにすることで、対物レンズの倍率が切り替えられても、対物レンズの倍率毎に、かつ、中間変倍光学系の倍率毎に分類されて記憶されている代表パターンを用いて、簡易に、かつ、精度よく、標本を撮影して得られた画像データのシェーディング補正を行うことができる。
【発明の効果】
【００１７】
本発明によれば、シェーディングパターンの取得における煩雑さと記憶容量の低減を図りつつ、中間変倍光学系のズーム倍率が変化しても適正なシェーディング補正を行うことができるという効果を奏する。
【図面の簡単な説明】
【００１８】
【図１】本発明の一実施形態に係る顕微鏡システムを示すブロック図である。
【図２】図１の顕微鏡システムに備えられた本発明の一実施形態に係る画像処理装置を示すブロック図である。
【図３】図２の画像処理装置によるシェーディングパターン生成モードにおける処理を説明するフローチャートである。
【図４】図３のフローチャートによるシェーディングパターンの分類の結果生成された複数のグループと代表パターンの倍率との関係のテーブルを示す図である。
【図５】図２の顕微鏡システムにより取得された標本のシェーディング補正処理を説明するフローチャートである。
【図６】図２の画像処理装置の変形例であって、代表パターンに基づく補正シェーディングパターンの生成を説明する図である。
【図７】図２の画像処理装置の変形例であって、顕微鏡が異なる倍率の対物レンズを切り替え可能な場合のシェーディングパターン生成モードにおける処理を説明するフローチャートである。
【図８】図７のフローチャートによるシェーディングパターンの分類の結果生成された複数のグループと代表パターンの倍率との関係のテーブルを示す図である。
【発明を実施するための形態】
【００１９】
本発明の一実施形態に係る顕微鏡システム１および画像処理装置２について、図面を参照して以下に説明する。
本実施形態に係る顕微鏡システム１は、図１に示されるように、顕微鏡３と、画像処理装置２と、制御装置４と、入力装置５とを備えている。
【００２０】
顕微鏡３は、標本を搭載するステージ６と、該ステージ６の下方に配置された透過照明用光源７と、ステージ６上に搭載された標本からの光を集光する対物レンズ８と、対物レンズ８により集光された光を集光して標本の像の倍率を変化させる中間変倍光学系９と、該中間変倍光学系９を通過した光を撮影する撮像素子（撮像手段）１０とを備えている。
中間変倍光学系９は、予め定められた倍率範囲にわたって倍率を変化させることができるようになっている。
【００２１】
また、顕微鏡３は、制御装置４からの指令に従って、通常観察モードとシェーディングパターン生成モードの２つの動作モードにより作動するようになっている。通常観察モードでは、操作者による入力装置５の操作に基づいて制御装置４から指令信号が出力され、中間変倍光学系９の倍率の調節や、撮像素子１０による画像取得が行われるようになっている。
【００２２】
一方、シェーディングパターン生成モードでは、操作者による入力装置５の操作に基づいて、制御装置４から指令信号が出力され、中間変倍光学系９の倍率が最小倍率から最大倍率まで所定の刻み幅で変化させられるとともに、各倍率において撮像素子１０により画像が取得されるようになっている。いずれの動作モードにおいても、顕微鏡３からは、撮像素子１０により取得された画像データと、その画像データを取得した際の中間変倍光学系９の倍率を示す情報とが画像処理装置２に出力されるようになっている。
【００２３】
本実施形態に係る画像処理装置２も、制御装置４の指令に従って、通常観察モードとシェーディングパターン生成モードの２つの動作モードにより作動するようになっている。画像処理装置２は、図２に示されるように、画像記憶部（シェーディングデータ記憶部）１１と、分類部１２と、代表パターン記憶部１３と、シェーディング補正部１４とを備えている。
【００２４】
画像記憶部１１は、顕微鏡３から送られてきた画像データおよび該画像データの取得時の中間変倍光学系９の倍率を対応づけて記憶するようになっている。画像記憶部１１は、通常観察モードにおいては、記憶している画像データおよび倍率をシェーディング補正部１４に送り、シェーディングパターン生成モードにおいては、画像データおよび倍率を分類部１２に送るようになっている。
【００２５】
分類部１２は、画像記憶部１１から送られてきた画像データおよび倍率に基づいて、画像データをシェーディングパターンとして複数のグループに分類するとともに、グループ毎に代表パターンを決定して出力するようになっている。
代表パターン記憶部１３は、分類部１２から送られてきた代表パターンとその取得時の中間変倍光学系９の倍率とを対応づけて記憶するようになっている。
【００２６】
さらに具体的には、分類部１２は、画像記憶部１１から最初に送られてきた画像データについては、第１のグループに分類して一時的に保持するとともに、その画像データを第１のグループの代表パターンとして代表パターン記憶部１３に倍率とともに出力するようになっている。
【００２７】
次いで、２回目以降に送られてきた画像データについては、一時的に保持していた第１のグループの代表パターンと比較し、その類似度を判断するようになっている。類似度が所定の閾値内であるときには、同一のグループに分類し、閾値を超えるときには、新たなグループに分類するようになっている。類似度としては、例えば、２つのシェーディングパターンの相関度、変極点の数あるいは平坦度等の任意の基準を設定することができる。
【００２８】
分類部１２は、画像データを新たなグループに分類したときには、そのグループに最初に分類された画像データをそのグループの代表パターンとして、倍率とともに、代表パターン記憶部１３に出力するようになっている。
これにより、代表パターン記憶部１３には、中間変倍光学系９の異なる倍率で取得された画像データが複数のグループに分類されるとともに、グループ毎に該グループ内の最初の倍率で取得された代表パターンが、倍率と対応づけられて記憶されるようになっている。
【００２９】
シェーディング補正部１４は、通常観察モードにおいて、画像記憶部１１に標本の画像とその撮影時の中間変倍光学系９の倍率とが記憶されたときに、画像記憶部１１に送られてきた倍率に基づいて、代表パターン記憶部１３内の対応するグループを検索し、検索されたグループの代表パターンを読み出すようになっている。そして、シェーディング補正部１４は、読み出された代表パターンによって画像記憶部１１から送られてきた標本の画像データに公知のシェーディング補正処理を施すようになっている。
【００３０】
このように構成された本実施形態に係る顕微鏡システム１および画像処理装置２の作用について以下に説明する。
本実施形態に係る顕微鏡システム１を用いて標本の顕微鏡観察を行う場合には、観察に先立ってシェーディングパターンを生成する処理を行う。
【００３１】
顕微鏡のステージ６上に何も搭載しない状態で、操作者が入力装置５からシェーディングパターン生成モードを選択する入力を行うと、制御装置４はその旨の指令信号を顕微鏡３および画像処理装置４に出力する。
顕微鏡３においては、まず、図３に示されるように、中間変倍光学系９の倍率が最小倍率に設定され（ステップＳ１）、初期設定がなされ（ステップＳ２）、シェーディングパターンの撮影が行われる（ステップＳ３）。撮影においては、透過照明用光源７からの照明光がステージ６の下方から上方に向かって射出される。ステージ６には何も搭載されていないので、透過照明用光源７から射出された照明光はステージ６を透過した後、対物レンズ８によって集光され、中間変倍光学系９によって集光された後に撮像素子１０により撮影される。
【００３２】
ステージ６上に何も搭載しない状態で取得された画像データはシェーディングパターンとなる。顕微鏡３は、取得されたシェーディングパターンである画像データと、該画像データを取得した際の中間変倍光学系９の倍率とを対応づけて画像処理装置２に対して出力する。
【００３３】
画像処理装置２においては、顕微鏡３から送られてきた画像データと中間変倍光学系９の倍率とが対応づけられて画像記憶部１１に記憶される（ステップＳ４）。制御装置４からはシェーディングパターン生成モードである旨の指令が入力されているので、画像処理部３は、記憶した画像データをシェーディングパターンとして、倍率とともに分類部１２に出力する。
【００３４】
分類部１２においては、最初のシェーディングパターンである（ｎ＝１）か否かが判定され（ステップＳ５）、最初のシェーディングパターンである場合には、そのシェーディングパターンを一時的に記憶するとともに（ステップＳ６）、そのシェーディングパターンを最初のグループの代表パターンとして倍率とともに代表パターン記憶部１３に出力する。代表パターン記憶部１３においては、分類部１２から送られてきたシェーディングパターンと倍率とを対応づけて記憶する（ステップＳ７）。
【００３５】
そして、中間変倍光学系９の倍率が最大であるか否かが判定され（ステップＳ８）、最大ではない場合には、ｎがインクリメントされ（ステップＳ９）、中間変倍光学系９の倍率が刻み幅分増加させられて（ステップＳ１０）、２回目の撮影が行われる（ステップＳ３）。２回目以降においては、分類部１２に一時記憶されているシェーディングパターン（代表パターン）と新たに取得されたシェーディングパターンの類似度が閾値より大きいか否かが判定される（ステップＳ１１）。
【００３６】
類似度が閾値以下の場合には、シェーディングパターンは代表パターンと同じグループに属するものとして、記憶することなく、次の倍率へと進む。
類似度が閾値を超える場合には、分類部１２は、新たなシェーディングパターンを一時記憶する（ステップＳ６）。そして、新たなグループの代表パターンとして、代表パターン記憶部１３に倍率とともに出力され、代表パターン記憶部１３に記憶される（ステップＳ７）。
【００３７】
以下、上記工程が、中間変倍光学系９の最大倍率となるまで繰り返されることにより、図４に示されるように、シェーディングパターンが倍率毎に複数のグループに分類された状態で、代表パターン記憶部１３に記憶され、シェーディングパターン生成モードが終了する。
【００３８】
次に、顕微鏡３のステージ６上に標本を搭載した状態で、操作者が入力装置５から通常観察モードを選択する入力を行うと、制御装置４はその旨の指令信号を顕微鏡３および画像処理装置２に出力する。
顕微鏡３においては、図５に示されるように、入力装置５からの操作者の入力に応じて制御装置４から出力される指令信号により、中間変倍光学系９の倍率が任意に調節され（ステップＳ１２）、撮像素子１０による標本の撮影が行われる（ステップＳ１３）。撮像素子１０による画像データの取得が行われた時点で、顕微鏡３は、取得された画像データおよびその取得時の中間変倍光学系９の倍率を画像処理装置２に出力する。
【００３９】
画像処理装置２においては、顕微鏡３から送られてきた画像データと中間変倍光学系９の倍率とが対応づけられて画像記憶部１１に記憶される（ステップＳ１４）。制御装置４からは通常観察モードである旨の指令が入力されているので、画像記憶部１１は、記憶した画像データおよび倍率をシェーディング補正部１４に出力する。
【００４０】
シェーディング補正部１４は、入力された倍率の属するグループを代表パターン記憶部１３内から検索する。具体的には、初期設定がなされ（ステップＳ１５）、入力された倍率（入力倍率）と、代表パターン記憶部１３に、第２のグループ（グループｍ＋１）の代表パターンに対応づけて記憶されている倍率（代表倍率）とを比較する（ステップＳ１６）。
【００４１】
そして、入力倍率が第２のグループの代表倍率より小さいか否かの判定が行われ（ステップＳ１７）、小さい場合には第１のグループの代表パターンが読み出される（ステップＳ１８）。入力された倍率が記憶されている倍率以上の場合には、代表倍率が最大倍率であるか否かが判定され（ステップＳ１９）、最大倍率ではない場合には、ｍがインクリメントされ（ステップＳ２０）、ステップＳ１６からの工程が繰り返される。
【００４２】
ステップＳ１７で比較した代表倍率がステップＳ１９において最大倍率である判定された場合には、第（ｍ＋１）グループの代表パターンが読み出される（ステップＳ２５）。
これにより、標本を撮影した際の中間変倍光学系９の倍率の属するグループの代表パターンが読み出されるので、シェーディング補正部１４は、読み出した代表パターンを用いて画像データのシェーディング補正処理を行う（ステップＳ２１）。
【００４３】
このように、本実施形態に係る顕微鏡システム１および画像処理装置２によれば、中間変倍光学系９のいずれかの倍率において撮影した単一のシェーディングパターンに基づいてシェーディング補正処理を行うのではなく、倍率に応じて変化するシェーディングパターンの形態によって複数のグループに分類され、各グループに設定された代表パターンに基づいてシェーディング補正処理を行う。その結果、全ての倍率についてシェーディングパターンを記憶しないので、シェーディングパターンの取得における煩雑さと記憶容量の低減を図ることができ、かつ、単一のシェーディングパターンによってシェーディング補正を行わないので、中間変倍光学系９の倍率が変化しても精度よく適正なシェーディング補正を行うことができるという利点がある。
【００４４】
また、本実施形態に係る顕微鏡システム１および画像処理装置２によれば、シェーディングパターンの形態が倍率に応じて大きく変動する場合、例えば、高倍率の場合と低倍率の場合とで、変極点の数や方向（上に凸か下に凸か）が異なる場合であっても、少ないデータ量で、全ての倍率にわたって精度よくシェーディング補正を行うことができるという利点がある。
【００４５】
また、本実施形態に係る顕微鏡システム１によれば、取得されたシェーディングパターンに何らかの不都合がある場合、例えば、顕微鏡３の光路内の塵埃が入り込み、シェーディングパターンに写り込んでしまった場合等に、全てのシェーディングパターンを取得し直すのではなく、代表パターンについてのみ取得し直せば足りるので、再取得に要する時間を短縮することができるという利点がある。
【００４６】
なお、本実施形態においては、画像処理装置２が、２つの動作モードのいずれの場合においても画像データと倍率とを対応づけて記憶する画像記憶部１１を共用することとしたが、これに代えて、通常観察モードにおける画像データと倍率とを対応づけて記憶する画像記憶部１１と、シェーディングパターン生成モードにおけるシェーディングパターンと倍率とを対応づけて記憶するシェーディングパターン記憶部とを別個に設けることにしてもよい。
【００４７】
また、本実施形態においては、分類部１２が、中間変倍光学系９の最小倍率から順に所定の刻み幅で倍率を増加させつつシェーディングパターンを分類していくこととしたが、最大倍率から順に所定の刻み幅で倍率を減少させつつシェーディングパターンを分類していくこととしてもよい。
【００４８】
また、新たなグループに最初に分類されたシェーディングパターンを代表パターンとして記憶することとしたが、グループ内の属するいずれかのシェーディングパターンを代表パターンとすることにしてもよい。
【００４９】
また、本実施形態においては、制御装置４が、２つの動作モードのいずれかを顕微鏡３および画像処理装置２に指令し、顕微鏡３が、倍率を切り替えて倍率毎のシェーディングパターンを取得し、倍率およびシェーディングパターンを画像処理装置２に送ることとしたが、これに代えて、制御装置４が倍率を切り替えて顕微鏡３および画像処理装置２に指令し、顕微鏡３はシェーディングパターンのみを画像処理装置２に送ることとしてもよい。
【００５０】
また、本実施形態においては、標本撮影時の中間変倍光学系９の倍率から当該倍率の属するグループを選択し、選択されたグループの代表パターンによってシェーディング補正処理を行うこととしたが、これに代えて、標本撮影時の倍率と、代表パターンを取得した際の倍率とが異なる場合には、代表パターンを補正した補正シェーディングパターンを生成し、生成された補正シェーディングパターンによってシェーディング補正処理を行うこととしてもよい。
【００５１】
シェーディングパターンの補正方法としては、例えば、標本の撮影時の中間変倍光学系９の倍率が属する第Ｐグループおよびその次の第（Ｐ＋１）グループの代表パターンおよび倍率を読み出して、倍率によって画素毎に輝度値を補間すればよい。
図６に示されるように、第Ｐグループの代表パターンＹＰ（ｘ）および倍率ＴＰ、第（Ｐ＋１）グループの代表パターンＹＰ＋１（ｘ）および倍率ＴＰ＋１を用いて、標本の撮影時のシェーディングパターンの輝度値Ｙ（ｘ）を次式により算出することができる。
【００５２】
Ｙ（ｘ）＝ＹＰ（ｘ）＋（ＹＰ＋１（ｘ）−ＹＰ（ｘ））×（Ｔ−ＴＰ）／（ＴＰ＋１−ＴＰ）
ここで、Ｔは、標本撮影時の中間変倍光学系９の倍率、ｘは画素の座標値である。
【００５３】
このようにすることで、少ないデータ量でより精度の高いシェーディング補正を行うことができる。なお、補間方法は上記式に限定されるものではなく、他の任意の補間式を採用してもよい。
【００５４】
また、分類部が、所定の閾値によってシェーディングパターンを分類することとしたが、閾値は、操作者が適宜入力することができるようにしてもよい。また、シェーディングパターンを分類するための類似度についても、操作者が適宜選択できるようにしてもよい。
【００５５】
また、本実施形態においては、対物レンズ８の倍率は固定し、中間変倍光学系９の倍率のみを切り替える場合について説明したが、倍率の異なる複数の対物レンズ８をレボルバ等によって切り替え可能な顕微鏡システム１においては、対物レンズ８の倍率および中間変倍光学系９の倍率毎にシェーディングパターンを複数のグループに分類してもよい。
【００５６】
この場合には、図７に示されるように、シェーディングパターン生成モードでは、図３のフローチャートに、対物レンズ８の倍率（対物倍率）を最小倍率に設定するステップＳ２２、対物倍率が最大か否かを判定するステップＳ２３、対物倍率を増加する方向に切り替えるステップＳ２４を加えればよい。これにより、図８に示されるように、対物レンズ８の倍率および中間変倍光学系９の倍率毎に、シェーディングパターンが複数のグループに分類される。
このようにすることで、対物レンズ８の倍率を切り替えても、精度よくシェーディング補正処理を行うことができる。
【符号の説明】
【００５７】
１  顕微鏡システム
２  画像処理装置
３  顕微鏡
４  制御装置
８  対物レンズ
９  中間変倍光学系
１０  撮像素子（撮像手段）
１１  画像記憶部（シェーディングパターン記憶部）
１２  分類部
１３  代表パターン記憶部
１４  シェーディング補正部
【図１】
0005959211.tif 000002
【図２】
0005959211.tif 000003
【図３】
0005959211.tif 000004
【図４】
0005959211.tif 000005
【図５】
0005959211.tif 000006
【図６】
0005959211.tif 000007
【図７】
0005959211.tif 000008
【図８】
0005959211.tif 000009